(57)【要約】      （修正有）【課題】低炭素で消耗材の不必要な空気清浄機を提供する。【解決手段】低炭素で消耗材の不必要な空気清浄機は、誘電体処理ユニット４、マイナスイオン発生ユニット３、ファン２、空気出口１、空気入口５を備え、ファン２、マイナスイオン発生ユニット３、誘電体処理ユニット４は箱体構造のそれぞれ上部、中部、下部に位置し、空気入口５は誘電体処理ユニット４の下方、すなわち清浄機の底部に設置し、空気出口１は清浄機の頂点部に設置する。誘電体処理ユニット４は電極板と誘電体触媒構造により組成し、電極板は放電針を設置した板式平面構造で、電極板は誘電体触媒構造の両側に設置し、プラス、マイナス電極板は誘電体触媒構造を隔てて相対し、誘電体触媒構造は導電体を基本材料とした中空実体で、金属酸化物、或いは金属付着物を、誘電体網状中空実体の内部に付着させる。【選択図】図１
0003173141.tif 000002
【実用新案登録請求の範囲】
【請求項１】
低炭素で消耗材の不必要な空気清浄機は、誘電体処理ユニット、マイナスイオン発生ユニット、ファン、空気出口、空気入口を備え、
前記ファン、前記マイナスイオン発生ユニット、前記誘電体処理ユニットは、箱体構造のそれぞれ上部、中部、下部に位置し、
前記空気入口は、前記誘電体処理ユニットの下方、すなわち清浄機の底部に設置し、
前記空気出口は、清浄機の頂点部に設置することを特徴とする低炭素で消耗材の不必要な空気清浄機。
【請求項２】
前記誘電体処理ユニットは、電極板と、誘電体触媒構造により組成し、
前記電極板は、前記誘電体触媒構造周辺の両側に分布し、前記プラス、マイナス電極板は、前記誘電体触媒構造を間にして相対し、
前記誘電体触媒構造は、上下面が網状で、周囲が密封された中空実体で、金属酸化物、或いは金属付着物を、前記誘電体触媒構造の中空実体の内部に付着させることを特徴とする請求項１に記載の低炭素で消耗材の不必要な空気清浄機。
【請求項３】
前記誘電体触媒構造の中空実体は、必要に応じて、矩形、円柱形、或いは他の形状などの各種形状に製造することができることを特徴とする請求項２に記載の低炭素で消耗材の不必要な空気清浄機。
【請求項４】
前記電極板は、プラス電極板とマイナス電極板に分けられ、
前記プラス、マイナス電極板は、前記誘電体触媒構造の両側に設置し、
前記電極板は、絶縁基材により製造する板式平面構造で、前記電極板上には、コーティング層を塗布し、前記電極板の一方の面上には、前記電極板と垂直に設置する若干の電極放射針を、均一に分布させ、
前記プラス、マイナス電極板の電極放射針は、ちょうど前記誘電体触媒構造を隔て、相互に向かい合って相対することを特徴とする請求項２に記載の低炭素で消耗材の不必要な空気清浄機。
【考案の詳細な説明】
【技術分野】
【０００１】
本考案は低炭素で消耗材の不必要な空気清浄機に関し、特に環境を保護できる空気浄化技術に属する低炭素で消耗材の不必要な空気清浄機に関する。
【背景技術】
【０００２】
従来の空気清浄機には、フィルター式清浄機とマイナスイオン発生器式空気清浄機がある。ろ過フィルター式空気清浄機はさらに、HEPAフィルター、活性炭フィルター、光触媒フィルター、リゾチームフィルター、過マンガン酸カリウムフィルター、ゼオライトフィルターなどの空気清浄機を含む。これらフィルターは、現在市販されている空気清浄機において、殺菌、消臭、TVOC分解に用いるツールである。しかし、一定時間の使用により、フィルター上の孔が徐々に詰まり、しかもフィルター上に付着させている化学物質も、その機能の効力を徐々に失うため、一定時間の使用後には交換しなければならない。さもなくば、細菌を集め、ほこりが過多となることで、室内の汚染源となってしまう。定期的に交換しなければならないため、これらフィルターを、消耗材と呼ぶ。
【０００３】
市販の空気清浄機においては、マイナスイオン発生器以外は、弱性能、中性能、或いは高性能のフィルターを採用し空気ろ過フィルターとし、或いはフィルター上に活性炭、光触媒、カテキン、ゼオライト、過マンガン酸カリウムなどを付着させ、機器の殺菌、消臭、有機溶剤分解能力を増強している。しかし、これら設計においては、フィルターが詰まり易く、細菌が繁殖し易く、しかも付着させた化学物質が容易に飽和、酸化、脱落するため、一定時間の使用後には、逆に汚染源になってしまう。しかも、マイナスイオン発生器式空気清浄機は、空気中にマイナスイオンを発散することはできるが、その単独の能力には限界があり、発散されたマイナスイオンは数秒の内に中和されてしまうため、それが作用する空間は非常に小さく、効果にも限界がある。
【０００４】
一般の空気清浄機の放電ユニットにおいて、その電極はしばしば、針対板、板対板、針対孔、針対針、点対点、点対円などの構造形式を採用するが、電圧が高ければ、容易にオゾンを発生し、人体の健康に影響を及ぼし、電圧が低ければ、効率も低くなり、実用化が難しい。本考案は、従来の空気清浄機の上記した欠点に鑑みてなされたものである。
【考案の概要】
【考案が解決しようとする課題】
【０００５】
本考案が解決しようとする課題は、消耗材を用いなければ正常な使用を維持できないという従来の空気清浄機の不便を改善することができる低炭素で消耗材の不必要な空気清浄機を提供することである。
【課題を解決するための手段】
【０００６】
上記課題を解決するため、本考案は下記の低炭素で消耗材の不必要な空気清浄機を提供する。      
【考案の効果】
【０００７】
本考案の低炭素で消耗材の不必要な空気清浄機は、強力なファンを採用し、汚染された空気を誘電体放電モジュールとマイナスイオンモジュール中に吸入することで、誘電体放電モジュールに進入した粒状物を高性能除去し、気体汚染物(TVOC)、温室効果ガスを分解し、消臭と殺菌を行い、油煙を分解するなどの作業を達成することができる。また同時に、高単位マイナスイオンを発散し、空間内の粒状物を中和して落下させ、気体汚染物(TVOC)を分解し、消臭及び殺菌を行うことができる。
【図面の簡単な説明】
【０００８】
【図１】本考案空気清浄機の構造を示す模式図である。
【図２】本考案空気清浄機のマイナスイオン発生ユニットを示す模式図である。
【図３】本考案空気清浄機の誘電体処理ユニットを示す模式図である。
【図４】本考案空気清浄機の外観構造を示す模式図である。
【図５】本考案空気清浄機の電極板を示す模式図である。
【図６】本考案空気清浄機電極板の横断面を示す拡大模式図である。
【図７】本考案空気清浄機の誘電体触媒構造を示す模式図である。
【図８】図７に示す本考案空気清浄機誘電体触媒構造のA面を示す模式図である。
【図９】図８に示す本考案空気清浄機誘電体触媒構造のB-B位置における断面図である。
【考案を実施するための形態】
【０００９】
以下に図面を参照しながら本考案を実施するための最良の形態について詳細に説明する。
【実施例】
【００１０】
本考案低炭素で消耗材の不必要な空気清浄機は、図４に示すように、直立式の長方形箱体外観を呈する構造である。本考案低炭素で消耗材の不必要な空気清浄機は、誘電体処理ユニット４、マイナスイオン発生ユニット３、ファン２、空気出口１、空気入口５を備える。ファン２、マイナスイオン発生ユニット３、誘電体処理ユニット４は、箱体構造のそれぞれ上部、中部、下部に位置する。空気入口５は、誘電体処理ユニット４の下方、すなわち清浄機の底部に設置する。空気出口１は、清浄機の頂点部に設置する。ファン２が起動すると、箱体に対して負圧を生じるため、空気は空気入口５から進入し、誘電体処理ユニット４、マイナスイオン発生ユニット３を経由して、空気出口１から排出される。
空気清浄機の構造を図１に示す。
【００１１】
誘電体処理ユニット４は、プラス電極板４１、マイナス電極板４２と、誘電体触媒構造(図７参照)により組成する。図３に示すように、プラス、マイナス電極板４１、４２は、誘電体触媒構造を間にして相対する。誘電体触媒構造は、図８の俯瞰図に示すように、上下面が網状A(図７参照)で、周囲が密封された中空実体である。誘電体触媒構造は、導電基材４８を材料とし、触媒コーティング層４７(金属酸化物、或いは金属付着物)を、誘電体触媒構造中空実体の内部に付着させ(図９参照)、網状誘電体と触媒４３を構成する。電極に通電後は、誘電体触媒構造上に付着する金属酸化物或いは金属付着物は、金属マイナスイオンに変成し、その空気中の汚染物を分解する能力をさらに高めることができる。誘電体触媒構造は、必要に応じて、矩形、円柱形、或いは他の形状などの各種形状に製造することができる。
【００１２】
電極板が、電源誘電体の触媒構造中空実体上に、プラス/マイナス高圧を加えると、中空実体誘電体に導電し、プラス/マイナスイオンは、誘電体中空実体内で迅速に中和される。しかも、イオンは、中空実体誘電体上に伝導される。中空誘電体は、電気の良導体であるため、中空実体誘電体上の放電は、均一になり、同時に強力なエネルギーを発生する。この強力な放電エネルギーは、この誘電体触媒構造内部を流れる有機ガスに対する分解に非常に効果がある。誘電体内部空間のあらゆる細菌は、空気中においてすべて迅速に殺菌され、通過する油煙は効果的に分解される。
【００１３】
図２に示すように、誘電体処理ユニット４上方に位置するマイナスイオン発生ユニット３は、中空の環状構造で、その外形は、誘電体処理ユニット４の外形と相同である。環状構造周囲には、マイナスイオン発生装置が分布する。
【００１４】
図５、６に示すように、電極板構造において、電極板は、プラス電極板４１とマイナス電極板４２に分けられる。プラス、マイナス電極板４１、４２は、誘電体触媒構造の両側に設置する(図７参照)。電極板は、絶縁基材４４により製造する板式平面構造である。電極板上には、コーティング層４６を塗布する。電極板の一方の面上には、電極板と垂直に設置する若干の電極放射針４５を、均一に分布させる。プラス、マイナス電極板４１、４２の電極放射針４５は、ちょうど誘電体触媒構造を隔て、相互に向かい合って相対する。
【００１５】
本考案低炭素で消耗材の不必要な空気清浄機の作動過程について以下に説明する。空気清浄機に通電すると、ファン２が起動する。ファン２は外へと風を送り、空気清浄機内部を負圧にする。これにより、外部の空気は空気入口５を経て、空気清浄機内の誘電体処理ユニット４の誘電体触媒構造へと進入する。誘電体処理ユニット４内の電極板は放電し、強力な放電エネルギーは、この誘電体触媒構造内部を流れる有機ガス、油煙に対して分解を行い、通り過ぎる細菌を殺菌する。浄化を経た空気は、マイナスイオン発生ユニット３を通り、マイナスイオンを帯びて空気出口１から排出される。こうして、マイナスイオンを帯びた清浄な空気を得ることができる。
【００１６】
本考案を、従来の技術と比較したところ、以下の有益な効果があることが分かった。本考案低炭素で消耗材の不必要な空気清浄機は、プラス、マイナス電極板４１、４２と誘電体触媒構造により組成する誘電体処理ユニット４を採用するため、消耗材を交換する必要がなく、オゾンを発生することもない。さらに、空気清浄機に進入した空気中の有機ガス、或いは油煙を分解することができ、クリーンで、マイナスイオンを帯びた空気を排出することができる。
【００１７】
図２に示すように、本考案実施例は、誘電体処理ユニット４、マイナスイオン発生ユニット３、ファン２、空気出口１、空気入口５により組成する。ファン２、マイナスイオン発生ユニット３、誘電体処理ユニット４は、箱体構造の上部、中部、下部にそれぞれ位置する。空気入口５は、誘電体処理ユニット４の下方、すなわち清浄機の底部に設置する。空気出口１は、清浄機の頂点部に設置する。ファン２が起動すると、箱体に対して負圧を生じるため、空気は空気入口５から進入し、誘電体処理ユニット４、マイナスイオン発生ユニット３を経由して、空気出口１から排出される。
【００１８】
本実施例の誘電体処理ユニット４は、正方形構造で、中央は、方形の誘電体触媒構造である。プラス、マイナス電極板４１、４２は、誘電体触媒構造の周囲に分布し、プラス、マイナス電極板４１、４２は相対する。プラス、マイナス電極板４１、４２に通電すると、誘電体触媒構造内で放電し、空気中の有機ガス、或いは油煙を中和、分解し、空気中の細菌を滅菌し、空気を浄化する。
【００１９】
空気清浄機に通電すると、ファン２が起動する。ファン２は外へと風を送り、空気清浄機内部を負圧にする。これにより、外部の空気は空気入口５を経て、空気清浄機内の誘電体処理ユニット４の誘電体触媒構造へと進入する。誘電体処理ユニット４内のプラス、マイナス電極板４１、４２は放電し、強力な放電エネルギーは、この誘電体触媒構造内部を流れる有機ガス、油煙に対して分解を行い、通り過ぎる細菌を殺菌する。浄化を経た空気は、マイナスイオン発生ユニット３を通り、マイナスイオンを帯びて空気出口１から排出される。こうして、マイナスイオンを帯びた清浄な空気を得ることができる。
【００２０】
上記の本考案名称と内容は、本考案技術内容の説明に用いたのみで、本考案を限定するものではない。本考案の精神に基づく等価応用或いは部品（構造）の転換、置換、数量の増減はすべて本考案の保護範囲に含むものとする。
【産業上の利用可能性】
【００２１】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２２】
１  空気出口
２  ファン
３  マイナスイオン発生ユニット
４  誘電体処理ユニット
４１  プラス電極板
４２  マイナス電極板
４３  網状誘電体と触媒
４４  絶縁基材
４５  電極放射針
４６  コーティング層
４７  触媒コーティング層
４８  導電基材
５  空気入口
A  網状
【図１】
0003173141.tif 000003
【図２】
0003173141.tif 000004
【図３】
0003173141.tif 000005
【図４】
0003173141.tif 000006
【図５】
0003173141.tif 000007
【図６】
0003173141.tif 000008
【図７】
0003173141.tif 000009
【図８】
0003173141.tif 000010
【図９】
0003173141.tif 000011